(57)【特許請求の範囲】
【請求項１】
除湿対象空間（S）に除湿空気を供給する除湿装置（10）を備え、
上記除湿装置（10）が、吸着部と再生部を有する吸着部材（45）を備えた除湿システムであって、
上記除湿装置（10）は、前段で除湿を行う前段除湿ユニット（20）と、後段で除湿を行う後段除湿ユニット（30）とを備え、
前段除湿ユニット（20）は、吸着部と再生部に交互に切り換えられる２つの吸着熱交換器（46，47）を備え、後段除湿ユニット（30）は、吸着部と再生部に切り換えられる吸着部材（45）を備え、
前段除湿ユニット（20）の再生部と室外空間との間で室外空気が循環する室外循環回路（11）が構成され、
後段除湿ユニット（30）の吸着部と除湿対象空間（S）との間で室内空気が循環する室内循環回路（12）が構成され、
前段除湿ユニット（20）の吸着部と後段除湿ユニット（30）の再生部との間で中間空気が循環する中間循環回路（13）が構成されていることを特徴とする除湿システム。
【請求項２】
請求項１において、
前段除湿ユニット（20）と後段除湿ユニット（30）の両方が、吸着部と再生部に交互に切り換えられる２つの吸着熱交換器（46，47）を備えていることを特徴とする除湿システム。
【請求項３】
請求項２において、
後段除湿ユニット（30）は、前段除湿ユニット（20）に対して複数台が互いに並列に接続され、
各後段除湿ユニット（30）で、吸着熱交換器（46，47）を吸着部と再生部に切り換えるタイミングが互いに相違することを特徴とする除湿システム。
【請求項４】
請求項２または３において、
前段除湿ユニット（20）の１台あたりの処理風量が、後段除湿ユニット（30）の１台あたりの処理風量よりも多く設定されていることを特徴とする除湿システム。
【請求項５】
請求項４において、
上記中間循環回路（13）には、後段除湿ユニット（30）の再生側出口から再生側入口に空気の一部を戻す戻し通路（16）が設けられていることを特徴とする除湿システム。
【請求項６】
請求項２から５の何れか１つにおいて、
前段除湿ユニット（20）と後段除湿ユニット（30）とで、吸着熱交換器（46，47）を吸着部と再生部に切り換える時間間隔が互いに相違することを特徴とする除湿システム。
【請求項７】
請求項２から６の何れか１つにおいて、
前段除湿ユニット（20）の吸着側出口空気と、後段除湿ユニット（30）の再生側出口空気との間で熱交換を行わせる顕熱交換器（14）が設けられていることを特徴とする除湿システム。
【請求項８】
請求項２から７の何れか１つにおいて、
前段除湿ユニット（20）をバイパスして後段除湿ユニット（30）の再生側入口に室外空気を導入する室外バイパス通路を備えていることを特徴とする除湿ユニット。
【発明の詳細な説明】
【技術分野】
【０００１】
本発明は、除湿システムに関し、特に２つの吸着熱交換器を吸着側と再生側に交互に切り換えて用いる除湿ユニットを備えた除湿システムに関するものである。
【背景技術】
【０００２】
従来、吸着剤を担持した２つの吸着熱交換器を吸着側と再生側に交互に切り換えて用いる除湿ユニットは、除湿対象空間である室内空間を除湿したり加湿したりするために用いられている（例えば特許文献１参照）。上記除湿ユニットで室内を除湿する際には、吸着側の吸着熱交換器で除湿した空気が室内に供給される一方、再生側の吸着熱交換器を通過して吸着剤を再生した空気が室外に排出される。一方、室内を除湿する運転を行う際、図１４に示すように、室内空気（RA）を吸着側の吸着熱交換器（EX1，EX2）に供給して除湿した後に室内に給気（SA）として戻し、室外空気（OA）を再生側の吸着熱交換器（EX2，EX1）に供給して吸着剤を再生した後に室外に排気（EA）として放出する運転を行うことがある。いわゆる空気循環式の運転である。
【０００３】
２つの吸着熱交換器（EX1，EX2）を吸着側と再生側に交互に切り換えて用いる運転では、吸着（冷却吸湿）側の吸着熱交換器（EX1，EX2）である程度の水分を吸着すると、その吸着熱交換器が再生（加熱放湿）側に切り換えられ、逆にそれまで再生側であった吸着熱交換器（EX2，EX1）が吸着側に切り換えられて、室内空気の除湿が連続して行われる。
【先行技術文献】
【特許文献】
【０００４】
【特許文献１】特開２０１１−００２１３２号公報
【発明の概要】
【発明が解決しようとする課題】
【０００５】
ここで、食品や種子を保管する倉庫などに上記除湿ユニットを適用する場合、室内空気を低露点温度（例えば露点５℃〜マイナス２０℃程度）にして、室内を乾燥させることが必要となることがある。
【０００６】
その際、再生側の吸着熱交換器（EX2，EX1）において、再生温度を高くすれば水分の放出量が多くなり、次に吸着側になったときに吸着量も多くなるから、室内空気を低露点温度にすることができると考えられる。しかし、吸着熱交換器（EX1，EX2）を用いるシステムでは一般に冷媒回路が採用されるため、再生温度は実際には６０℃程度であり、それよりも高くするには補助加熱器を設ける必要が生じるなど実用性に問題がある。その結果、上記のシステムで室内空気を低露点温度にすることは困難であった。
【０００７】
本発明は、このような問題点に鑑みてなされたものであり、その目的は、２つの吸着熱交換器を吸着側と再生側に交互に切り換えて用いる除湿ユニットを備えた除湿システムにおいて、再生温度を上げずに室内空気の露点温度を下げられる構成を実用化することである。
【課題を解決するための手段】
【０００８】
第１の発明は、除湿対象空間（S）に除湿空気を供給する除湿装置（10）を備え、上記除湿装置（10）が、吸着部と再生部を有する吸着部材（45）を備えた除湿システムを前提としている。
【０００９】
そして、上記除湿システムの除湿装置（10）は、前段で除湿を行う前段除湿ユニット（20）と、後段で除湿を行う後段除湿ユニット（30）とを備え、前段除湿ユニット（20）が、吸着部と再生部に交互に切り換えられる２つの吸着熱交換器（46，47）を備え、後段除湿ユニット（30）が、吸着部と再生部に切り換えられる吸着部材（45）を備え、前段除湿ユニット（20）の再生部と室外空間との間で室外空気が循環する室外循環回路（11）が構成され、後段除湿ユニット（30）の吸着部と除湿対象空間（S）との間で室内空気が循環する室内循環回路（12）が構成され、前段除湿ユニット（20）の吸着部と後段除湿ユニット（30）の再生部との間で中間空気が循環する中間循環回路（13）が構成されていることを特徴としている。
【００１０】
また、第２の発明は、第１の発明において、前段除湿ユニット（20）と後段除湿ユニット（30）の両方が、吸着部と再生部に交互に切り換えられる２つの吸着熱交換器（46，47）を備えていることを特徴としている。
【００１１】
上記第１，第２の発明では、前段除湿ユニット（20）の再生部を再生しながら、中間循環回路（13）において前段除湿ユニット（20）の吸着部で空気を除湿して乾燥空気を生成し、その乾燥空気により後段除湿ユニット（30）の再生部が再生される。このようにして再生した後段除湿ユニット（30）の吸着部材（45）(吸着熱交換器（46，47）)の水分量は、中間循環回路（13）を設けない場合と比べて少なくすることができる。したがって、この後段除湿ユニット（30）の吸着部材（45）(吸着熱交換器（46，47）)が次に吸着部になって室内空気が室内循環回路（12）を循環するときに、空気を低露点温度になるまで除湿して室内に供給することができる。
【００１２】
第３の発明は、第２の発明において、後段除湿ユニット（30）が、前段除湿ユニット（20）に対して複数台が互いに並列に接続され、各後段除湿ユニット（30）で、吸着熱交換器（46，47）を吸着部と再生部に切り換えるタイミングが互いに相違することを特徴としている。例えば、各後段除湿ユニット（30）で、吸着熱交換器（46，47）を吸着部と再生部に切り換える時間間隔（時間の長さ）は同じでも、切り換え時点が異なるような場合である。
【００１３】
ここで、複数の後段除湿ユニット（30）において吸着熱交換器（46，47）を吸着部と再生部に切り換えるタイミングが互いに一致していると、室内の温度変動や湿度変動が大きくなりやすいのに対して、この第３の発明では、複数の後段除湿ユニット（30）において吸着熱交換器（46，47）を吸着部と再生部に切り換えるタイミングを互いに相違させているので、室内の温度変動や湿度変動が抑えられる。
【００１４】
第４の発明は、第２または第３の発明において、前段除湿ユニット（20）の１台あたりの処理風量が、後段除湿ユニット（30）の１台あたりの処理風量よりも多く設定されていることを特徴としている。
【００１５】
この第４の発明では、室内への供給空気の露点温度を下げるためには後段除湿ユニット（30）の風量を多くすることが困難であるのに対して、前段除湿ユニット（20）はそれよりも露点温度が高くてもよいので、後段除湿ユニット（30）よりも大風量での運転が行えることから、前段除湿ユニット（20）の１台あたりの処理風量を、後段除湿ユニット（30）の１台あたりの処理風量よりも多く設定している。
【００１６】
第５の発明は、第４の発明において、中間循環回路（13）には、後段除湿ユニット（30）の再生側出口から再生側入口に空気の一部を戻す戻し通路（16）が設けられていることを特徴としている。
【００１７】
この第５の発明では、前段除湿ユニット（20）から後段除湿ユニット（30）に供給される中間空気の風量が後段除湿ユニット（30）の処理風量よりも少ない場合に、上記戻し通路（16）に空気を流すことにより、風量のバランスをとることができる。
【００１８】
第６の発明は、第２から第５の発明の何れか１つにおいて、前段除湿ユニット（20）と後段除湿ユニット（30）とで、吸着熱交換器（46，47）を吸着部と再生部に切り換える時間間隔が互いに相違することを特徴としている。この「時間間隔が相違する」は、前段除湿ユニット（20）と後段除湿ユニット（30）とで、吸着熱交換器（46，47）を吸着部と再生部に切り換える時間の長さが異なることを意味している。
【００１９】
この第６の発明では、前段除湿ユニット（20）と後段除湿ユニット（30）において、吸着熱交換器（46，47）を吸着部と再生部に切り換える時間間隔が互いに異なるように調整される。具体的には、再生直後の吸着剤が十分に乾燥している状態となるような再生時間と、吸着中に吸着剤が水分を吸着しすぎて除湿能力が低下しないような吸着時間とから、前段除湿ユニット（20）と後段除湿ユニット（30）に最適な切り換え時間間隔が設定される。特に、前段除湿ユニット（20）の１台あたりの処理風量が、後段除湿ユニット（30）の１台あたりの処理風量よりも多く設定されている場合には、吸着時間を短くして水分の吸着量を抑える必要があることから、後段除湿ユニット（30）よりも切り換え時間間隔を短く設定するとよい。
【００２０】
第７の発明は、第２から第６の発明の何れか１つにおいて、前段除湿ユニット（20）の吸着側出口空気と、後段除湿ユニット（30）の再生側出口空気との間で熱交換を行わせる顕熱交換器（14）が設けられていることを特徴としている。
【００２１】
この第７の発明では、中間循環回路（13）において、前段除湿ユニット（20）の吸着側出口空気と後段除湿ユニット（30）の再生側出口空気との間で顕熱交換器（14）により熱回収が行われる。具体的には、後段除湿ユニット（30）の再生側出口空気の温熱を後段除湿ユニット（30）の再生部の再生に利用できる。
【００２２】
第８の発明は、第２から第７の発明の何れか１つにおいて、前段除湿ユニット（20）をバイパスして後段除湿ユニット（30）の再生側入口に室外空気を導入する室外バイパス通路を備えていることを特徴としている。
【００２３】
この第８の発明では、例えば外気が低湿度である場合には、前段除湿ユニット（20）をバイパスして後段除湿ユニット（30）だけでの運転が行われる。
【発明の効果】
【００２４】
本発明によれば、前段除湿ユニット（20）の再生部を再生しながら、中間循環回路（13）において前段除湿ユニット（20）の吸着部で空気を除湿して乾燥空気を生成し、その乾燥空気で後段除湿ユニット（30）の再生部を再生することにより、再生した後段除湿ユニット（30）の吸着部材（45）(吸着熱交換器（46，47）)の水分量を下げることができる。そして、水分量の少ない後段除湿ユニット（30）の吸着部材（45）(吸着熱交換器（46，47）)を用いて室内空気を除湿できるから、再生温度を上げなくても室内空気を低露点温度の空気にすることができる。その際、後段除湿ユニット（30）の再生出口空気も十分に低湿になり、この乾いた空気が前段除湿ユニット（20）の吸着部との間で循環することになる。
【００２５】
上記第３の発明によれば、複数の後段除湿ユニット（30）において吸着熱交換器（46，47）を吸着部と再生部に切り換えるタイミングを互いに相違させているので、室内の温度変動や湿度変動を抑えることができ、室内空気の状態を安定させることができる。
【００２６】
上記第４の発明によれば、前段除湿ユニット（20）で処理する空気の露点温度を後段除湿ユニット（30）よりも高くできることから、前段除湿ユニット（20）を後段除湿ユニット（30）よりも大風量で運転できるようにしているから、前段除湿ユニット（20）の台数を少なくすることができる。したがって、システムのイニシャルコストを下げることが可能になる。
【００２７】
上記第５の発明によれば、前段除湿ユニット（20）から後段除湿ユニット（30）に供給される空気の風量が後段除湿ユニット（30）の処理風量よりも少ない場合に、上記戻し通路（16）に空気を流して風量のバランスをとることができるから、システムの能力が低下するのを抑えられる。
【００２８】
上記第６の発明によれば、前段除湿ユニット（20）の切り換え時間間隔を後段除湿ユニット（30）の切り換え時間間隔よりも短くすることができるので、各段の除湿ユニットにおいて最適な運転を行うことが可能になる。
【００２９】
上記第７の発明によれば、中間循環回路（13）において、前段除湿ユニット（20）の吸着側出口空気と後段除湿ユニット（30）の再生側出口空気との間で顕熱交換器（14）により熱回収を行ない、後段除湿ユニット（30）の再生側出口空気の温熱を後段除湿ユニット（30）の再生部の再生に利用できるので、除湿システムの性能向上を図ることができる。
【００３０】
上記第８の発明によれば、前段除湿ユニット（20）をバイパスして後段除湿ユニット（30）の再生側入口に室外空気を導入する室外バイパス通路を設けたことにより、例えば外気が低湿度である場合には、前段除湿ユニット（20）をバイパスして後段除湿ユニット（30）だけでの運転を行えるから、システムの省エネルギ化を図ることが可能となる。
【図面の簡単な説明】
【００３１】
【図１】図１は、実施形態１に係る除湿システムのシステム構成図である。
【図２】図２は、除湿ユニットの冷媒回路図である。
【図３】図３は、除湿ユニットの構造を示す斜視図である。
【図４】図４は、除湿ユニットの構成図であり、図４（Ａ）は平面視図、図４（Ｂ）は左側面視図、図４（Ｃ）は右側面視図である。
【図５】図５は、第１動作中の除湿ユニットの空気の流れを示す図であり、図５（Ａ）は平面視図、図５（Ｂ）は左側面視図、図５（Ｃ）は右側面視図である。
【図６】図６は、第２動作中の除湿ユニットの空気の流れを示す図であり、図６（Ａ）は平面視図、図６（Ｂ）は左側面視図、図６（Ｃ）は右側面視図である。
【図７】図７は、図１の除湿システムの構成を簡略化して示した動作説明図である。
【図８】図８は、実施形態１の変形例１に係る除湿システムのシステム構成図である。
【図９】図９は、実施形態１の変形例２に係る除湿システムのシステム構成図である。
【図１０】図１０は、図９のシステムの概略構成図である。
【図１１】図１１は、実施形態１の変形例３に係る除湿システムの概略の構成図である。
【図１２】図１２は、実施形態２に係る除湿システムの概略の構成図である。
【図１３】図１３は、実施形態３に係る除湿システムの概略の構成図である。
【図１４】図１４は、従来の除湿システムの概略の構成図である。
【発明を実施するための形態】
【００３２】
以下、本発明の実施形態を図面に基づいて詳細に説明する。
【００３３】
《発明の実施形態１》
本発明の実施形態１について説明する。
【００３４】
図１に示す実施形態１は、吸着熱交換器を用いて室内空間（S）を除湿する除湿システム（1）に関するものである。この除湿システム（1）は、室内空気（RA）を除湿して室内へ給気（SA）として戻す循環型の除湿システムである。室外空気（OA）は吸着熱交換器の吸着剤を再生するのに用いられる。除湿対象となる室内空間（S）は、例えば、露点プラス５℃〜マイナス２０℃程度の低露点空気が求められる倉庫（2）の内部空間である。このような倉庫（2）の具体例としては、種子や食品等を保管する倉庫などが挙げられる。
【００３５】
この除湿システム（1）は、除湿対象空間に除湿空気を供給する除湿装置（10）を備えている。除湿装置（10）は、室内空間（S）に対して前段で除湿を行う前段除湿ユニット（20）と、室内空間側の後段で除湿を行う後段除湿ユニット（30）とを有している。前段除湿ユニット（20）と後段除湿ユニット（30）は、いずれも、吸着部と再生部に切り換えられる吸着部材（45）を備えている。各ユニットの吸着部材（45）には、上記吸着部と再生部に交互に切り換えられる２つの吸着熱交換器（46，47）が用いられている。
【００３６】
各除湿ユニット（20，30）の一対の吸着熱交換器（46，47）は、冷媒が循環して冷凍サイクルを行う冷媒回路（40）（図２参照）の２つの熱交換器により構成されていて、冷媒の循環方向を反転させることにより、蒸発器になる吸着熱交換器（46，47）と凝縮器になる吸着熱交換器（47，46）を入れ換えて、吸着側と再生側を交互に切り換えるようになっている。
【００３７】
各除湿ユニット（20，30）は、吸着部である吸着側の吸着熱交換器（46，47）で空気を除湿する一方、再生部である再生側の吸着熱交換器（47，46）では空気に水分を放出して吸着剤が再生される切り換え式の除湿ユニットである。各除湿ユニット（20，30）は、図２に示すように、圧縮機（41）、第１吸着熱交換器（第１吸着部材）（46）、膨張弁（42）、第２吸着熱交換器（第２吸着部材）（47）、及び四方切換弁（43）が接続された冷媒回路（40）を備え、図３から図６に示すようにケーシング（111）内に機器が収納されている。各吸着熱交換器（46，47）はフィンアンドチューブ式の熱交換器の表面に吸着剤が担持されたものであり、ケーシング（111）内には、第１吸着熱交換器（46）を収納する後述の第１熱交換器室（137）と、第２吸着熱交換器（47）を収納する後述の第２熱交換器室（138）が設けられている。
【００３８】
四方切換弁（43）は、第１から第４までのポートを有し、第１ポート（P1）が圧縮機（41）の吐出側と、第２ポート（P2）が圧縮機（41）の吸入側と、第３ポート（P3）が第１吸着熱交換器（46）の端部と、第４ポート（P4）が第２吸着熱交換器（47）の端部とそれぞれ接続されている。四方切換弁（43）は、第１ポート（P1）と第３ポート（P3）とが連通するとともに第２ポート（P2）と第４ポート（P4）とが連通する第１状態（図１の実線で示す状態）と、第１ポート（P1）と第４ポート（P4）とが連通するとともに第２ポート（P2）と第３ポート（P3）とが連通する第２状態（図１の破線で示す状態）とに切換可能に構成されている。
【００３９】
図１に示すように、この除湿システム（1）では、前段除湿ユニット（20）の再生部と室外空間との間で室外空気が循環する室外循環回路（11）と、後段除湿ユニット（30）の吸着部と除湿対象空間（S）との間で室内空気（RA）が循環する室内循環回路（12）と、前段除湿ユニット（20）の吸着部と後段除湿ユニット（30）の再生部との間で中間空気が循環する中間循環回路（13）とが構成されている。
【００４０】
この除湿システム（1）では、後段除湿ユニット（30）は、前段除湿ユニット（20）に対して複数台（30A，30B）が互いに並列に接続されている。また、この除湿システム（1）では、前段除湿ユニット（20）の吸着側出口空気と、後段除湿ユニット（30）の再生側出口空気との間で熱交換を行わせる顕熱交換器（14）が設けられている。室内循環回路（12）には、室内（S）に供給する空気の温度を調整するための温度調整用空調ユニット（15）が設けられている。
【００４１】
次に、前段除湿ユニット（20）と高段側除湿ユニット（30）の具体的な装置構成について、図３及び図４を参照しながら説明する。なお、ここでの説明で用いる「上」「下」「左」「右」「前」「後」「手前」「奥」は、特にことわらない限り、各除湿ユニット（20，30）を前面側から見た場合の方向を意味している。
また、前段除湿ユニット（20）と高段側除湿ユニット（30）は実質的に同じように構成されている。なお、以下の説明では、吸着部である吸着側の吸着熱交換器（46，47）を流れる空気を吸着空気と称し、再生部である再生側の吸着熱交換器（47，46）を流れる空気を再生空気と称する。
【００４２】
各除湿ユニット（20，30）は、ケーシング（111）を備えている。ケーシング（111）内には、上記冷媒回路（40）の構成部品である第１吸着熱交換器（46）、第２吸着熱交換器（47）、圧縮機（41）、四方切換弁（43）、及び膨張弁（42）が収容されている。
【００４３】
ケーシング（111）は、やや扁平で高さが比較的低い直方体状に形成されている。このケーシング（111）では、図３における左手前側に前面パネル（112）が、同図における右奥側に背面パネル（113）がそれぞれ立設されている。このケーシング（111）は、前後方向の幅と左右方向の幅とが略同一の長さとなっている。
【００４４】
ケーシング（111）の前面パネル（112）では、左寄りの位置に再生空気吹出口（121）が、右寄りの位置に吸着空気吹出口（122）がそれぞれ開口している。ケーシング（111）の背面パネル（113）の中央部には、上側寄りの位置に吸着空気吸込口（123）が、下側寄りの位置に再生空気吸込口（124）がそれぞれ開口している。
【００４５】
ケーシング（111）の内部空間は、前面パネル（112）側の部分と背面パネル（113）側の部分とに区画されている。
【００４６】
ケーシング（111）内における前面パネル（112）側の空間は、吸着熱交換器（46，47）の下流側で、仕切板（115）により、左右２つの空間に仕切られている。この左右に仕切られた２つの空間は、左寄りの空間が再生側ファン室（135）を、右寄りの空間が吸着側ファン室（136）をそれぞれ構成している。
【００４７】
再生側ファン室（135）には、上記再生空気吹出口（121）が設けられている。この再生側ファン室（135）には再生側ファン（125）が収容されており、再生側ファン（125）の送風口が再生空気吹出口（121）に接続されている。一方、吸着側ファン室（136）には、上記吸着側吹出口（122）が設けられている。この吸着側ファン室（136）には、吸着側ファン（126）が収容されており、吸着側ファン（126）の送風口が吸着側吹出口（122）に接続されている。また、吸着側ファン室（136）には、圧縮機（41）も収容されている。
【００４８】
一方、ケーシング（111）内の背面パネル（113）側の空間は、ケーシング（111）内に立設された第１仕切板（116）及び第２仕切板（117）によって前後３つの空間に仕切られている。これら仕切板（116，117）は、ケーシング（111）の左右方向に延びている。第１仕切板（116）は上記背面パネル（113）寄りに、第２仕切板（117）は前面パネル（112）寄りにそれぞれ配置されている。
【００４９】
ケーシング（111）内において、第１仕切板（116）の奥の空間は上下２つの空間に仕切られており、上側の空間が吸着側流入路（132）を、下側の空間が再生側流入路（134）をそれぞれ構成している。吸着側流入路（132）は、吸着空気吸込口（123）と連通している。この吸着側流入路（132）には、ケーシング（111）の左右の内壁に亘って横断するように吸着空気フィルタ（161）が配置されている。この吸着空気フィルタ（161）は、吸着空気吸込口（123）から取り込まれる吸着空気中の塵埃を捕集する。再生側流入路（134）は再生空気吸込口（124）と連通している。この再生側流入路（134）には、ケーシング（111）の左右の内壁に亘って横断するように再生空気フィルタ（162）が配置されている。この再生空気フィルタ（162）は、再生空気吸込口（124）から取り込まれる再生空気中の塵埃を捕集する。
【００５０】
第２仕切板（117）の手前の空間は上下２つの空間に仕切られており、上側の空間が再生側流出路（131）を、下側の空間が吸着側流出路（133）を構成している。再生側流出路（131）は、再生側ファン室（135）と連通している。吸着側流出路（133）は、吸着側ファン室（136）と連通している。
【００５１】
第１仕切板（116）と第２仕切板（117）との間の空間は、更に中央仕切板（118）によって左右２つの空間に仕切られている。そして、中央仕切板（118）の右側の空間が第１熱交換器室（137）を構成し、その左側の空間が第２熱交換器室（138）を構成している。第１熱交換器室（137）には第１吸着熱交換器（46）が、第２熱交換器室（138）には第２吸着熱交換器（47）がそれぞれ収容されている。これら２つの吸着熱交換器（46，47）は、それぞれが収容される熱交換器室（137，138）を左右方向へ横断するように配置されている。
【００５２】
第１仕切板（116）には、開閉式のダンパ（141〜144）が４つ設けられている。具体的に、第１仕切板（116）では、右側の上部に第１ダンパ（141）が、左側の上部に第２ダンパ（142）が、右側の下部に第３ダンパ（143）が、左側の下部に第４ダンパ（144）がそれぞれ取り付けられている。第１ダンパ（141）を開くと、吸着側流入路（132）と第１熱交換器室（137）が連通する。第２ダンパ（142）を開くと、吸着側流入路（132）と第２熱交換器室（138）が連通する。第３ダンパ（143）を開くと、再生側流入路（134）と第１熱交換器室（137）が連通する。第４ダンパ（144）を開くと、再生側流入路（134）と第２熱交換器室（138）が連通する。これらのダンパ（141〜144）により、第１流路切換部（151）が構成されている。
【００５３】
第２仕切板（117）には、開閉式のダンパ（145〜148）が４つ設けられている。具体的に、第２仕切板（117）では、右側の上部に第５ダンパ（145）が、左側の上部に第６ダンパ（146）が、右側の下部に第７ダンパ（147）が、左側の下部に第８ダンパ（148）がそれぞれ取り付けられている。第５ダンパ（145）を開くと、再生側流出路（131）と第１熱交換器室（137）が連通する。第６ダンパ（146）を開くと、再生側流出路（131）と第２熱交換器室（138）が連通する。第７ダンパ（147）を開くと、吸着側流出路（133）と第１熱交換器室（137）が連通する。第８ダンパ（148）を開くと、吸着側流出路（133）と第２熱交換器室（138）が連通する。これらのダンパ（145〜148）により、第２流路切換部（152）が構成されている。
【００５４】
そして、第１流路切換部（151）と第２流路切換部（152）により、第１吸着熱交換器（46）を通過した吸着空気が吸着側ファン室（136）を流れるとともに第２吸着熱交換器（47）を通過した再生空気が再生側ファン室（135）を流れる第１空気流通状態と、第１吸着熱交換器（46）を通過した再生空気が再生側ファン室（135）を流れるとともに第２吸着熱交換器（47）を通過した除湿空気が吸着側ファン室（136）を流れる第２空気流通状態とを切り換え可能な空気通路切換機構（151，152）が構成されている。
【００５５】
上記各除湿ユニット（20，30）では、一対の吸着熱交換器（46，47）は、所定のタイミング（例えば３分間隔や５分間隔）で吸着側と再生側が交互に切り換えられる。上記ケーシング（111）は、一対の吸着熱交換器（46，47）が吸着側と再生側に切り換わるのに合わせて、空気通路における空気の流れ（流路）も切り換わるように構成されている。
【００５６】
上記室外循環回路（11）は、図１において、室外空気取込口（3）と前段除湿ユニット（20）の再生空気吸込口（124）とを接続し、前段除湿ユニット（20）の再生空気吹出口（121）と排気口（4）とを接続することにより構成されている。室内循環回路（12）は、室内空気取込口（5）と後段除湿ユニット（30）の吸着空気吸込口（123）とを接続し、後段除湿ユニット（30）の吸着空気吹出口（122）と給気口（6）とを接続することにより構成されている。また、中間循環回路（13）は、前段除湿ユニット（20）の吸着空気吹出口（122）と後段除湿ユニット（30）の再生空気吸込口（124）とを接続し、後段除湿ユニット（30）の再生空気吹出口（121）と前段除湿ユニット（20）の吸着空気吸込口（123）とを接続することにより構成されている。
【００５７】
この実施形態では、各後段除湿ユニット（30A，30B）で吸着熱交換器（46，47）を吸着部と再生部に切り換えるタイミングが互いに相違するように構成されている。
【００５８】
具体的に、この実施形態では、後段第１除湿ユニット（30A）で２つの吸着熱交換器（46，47）を吸着側と再生側に切り換えるタイミングと、後段第２除湿ユニット（30B）で２つの吸着熱交換器（46，47）を吸着側と再生側に切り換えるタイミングを、相互にずらす制御を行うコントローラ（100）が設けられている。コントローラ（100）は、後段第１除湿ユニット（30A）と後段第２除湿ユニット（30B）のそれぞれの２つの吸着熱交換器（46，47）をいずれも同じ時間間隔（例えば３分）で吸着側と再生側に切り換えるとすると、第１除湿ユニット（30A）と第２除湿ユニット（30B）の切り換えタイミングを、切り換え時間間隔の半分の時間（例えば１分３０秒）ずらすようにしている。
【００５９】
後段除湿ユニット（30）の吸着側の吸着熱交換器（46，47）から流出した空気は、再生側で加熱されていた吸着熱交換器が吸着側に切り換わった直後は温度が高い。吸着熱交換器（46，47）は吸着側に切り換わると徐々に温度が低下するが、その後に再生側に切り換わると温度が上昇し、その高い温度で吸着側に切り換わる形で温度変動が繰り返される。したがって、後段除湿ユニット（30）の処理出口の空気温度は、時間の経過に伴って上昇と下降を繰り返す。
【００６０】
ここで、後段第１除湿ユニット（30A）と後段第２除湿ユニット（30B）の切り換えタイミングが同じである場合を比較例として考えると、その場合は温度変動や湿度変動のタイミングが同期するため、温度変動や湿度変動が顕著になる問題がある。一方、本実施形態では、後段第１除湿ユニット（30A）における吸着／再生の切り換えタイミングと後段第２除湿ユニット（30B）における吸着／再生の切り換えタイミングを、切り換え時間間隔の半分だけずらすようにしている。このように切り換えタイミングをずらすことにより、本実施形態では、後段除湿ユニット（30）の出口空気の温度変動や湿度変動を抑えることができる。
【００６１】
また、コントローラ（100）は、前段除湿ユニット（20）の１台あたりの処理風量が、後段除湿ユニット（30A，30B）の１台あたりの処理風量よりも多くなるように制御を行う。
【００６２】
具体的に、室内への供給空気の露点温度を下げるためには後段除湿ユニット（30）の風量を多くすることが困難であるのに対して、前段除湿ユニット（20）はそれよりも露点温度が高くてもよいので、後段除湿ユニット（30）よりも大風量での運転が行えることから、本実施形態では、前段除湿ユニット（20）の１台あたりの処理風量を、後段除湿ユニット（30）の１台あたりの処理風量よりも多く設定している。
【００６３】
−運転動作−
次に、除湿システム（10）の運転動作について説明する。
【００６４】
〈除湿ユニットの動作〉
まず、各除湿ユニット（20，30）の動作を説明する。除湿システム（10）の運転時には、各除湿ユニット（20，30）が図５に示す第１動作と図６に示す第２動作とを所定時間おきに交互に行う。
【００６５】
各除湿ユニット（20）では、吸着側ファン（126）及び再生側ファン（125）が運転される。吸着側ファン（126）の運転が開始されると、吸着空気が吸着空気吸込口（123）からケーシング（111）内へ取り込まれる。再生側ファン（125）の運転が開始されると、再生空気が再生空気吸込口（124）からケーシング（111）内へ取り込まれる。
【００６６】
第１動作では、第２吸着熱交換器（47）で空気を除湿すると同時に、第１吸着熱交換器（46）の吸着剤を再生する。
【００６７】
具体的に、第１動作中の冷媒回路（40）では、四方切換弁（25）が図２の実線の状態となり、膨張弁（42）が所定開度に制御される。第１流路切換部（151）は、吸着側流入路（132）と第２吸着熱交換器（47）の収容室（第２熱交換器室（138））とを連通させ、且つ再生側流入路（134）と第１吸着熱交換器（46）の収容室（第１熱交換器室（137））とを連通させる。また、第２流路切換部（152）は、第２吸着熱交換器（47）の収容室（第２熱交換器室（138））と吸着側流出路（133）とを連通させ、且つ第１吸着熱交換器（46）の収容室（第１熱交換器室（137））と再生側流出路（131）とを連通させる。
【００６８】
第１動作において、圧縮機（41）で圧縮された冷媒は、四方切換弁（43）を通過して、第１吸着熱交換器（46）を流れる。第１吸着熱交換器（46）では、冷媒によって吸着剤が加熱され、吸着剤中の水分が空気へ放出される。第１吸着熱交換器（46）で放熱して凝縮した冷媒は、膨張弁（42）で減圧された後、第２吸着熱交換器（47）を流れる。第２吸着熱交換器（47）では、空気中の水分が吸着剤に吸着され、この際に生じる吸着熱が冷媒に付与される。第２吸着熱交換器（47）で吸熱して蒸発した冷媒は、圧縮機（41）に吸入されて圧縮される。
【００６９】
図５に示すように、この第１動作中には、第２ダンパ（142）、第３ダンパ（143）、第５ダンパ（145）、及び第８ダンパ（148）だけが開状態となり、残りのダンパ（141,144,146,147）が閉状態となる。
【００７０】
吸着空気吸込口（123）から吸着側流入路（132）へ流入した吸着空気は、第２ダンパ（142）を通って第２熱交換器室（138）へ流入し、その後に第２吸着熱交換器（47）を通過する。第２吸着熱交換器（47）では、吸着空気中の水分が吸着剤に吸着される。第２吸着熱交換器（47）で除湿された吸着空気は、第８ダンパ（148）を通って吸着側流出路（133）へ流入し、吸着側ファン室（136）を通過後に吸着空気吹出口（122）を通ってケーシング（111）から排出される。
【００７１】
一方、再生空気吸込口（124）から再生側流入路（134）へ流入した再生空気は、第３ダンパ（143）を通って第１熱交換器室（137）へ流入し、その後に第１吸着熱交換器（46）を通過する。第１吸着熱交換器（46）では、冷媒で加熱された吸着剤から水分が脱離し、この脱離した水分が再生空気に付与される。第１吸着熱交換器（46）で水分を付与された再生空気は、第５ダンパ（145）を通って再生側流出路（131）へ流入し、再生側ファン室（135）を通過後に再生空気吹出口（121）を通ってケーシング（111）から排出される。
【００７２】
第２動作では、第１吸着熱交換器（46）で空気を除湿すると同時に、第２吸着熱交換器（47）の吸着剤を再生する。
【００７３】
第２動作中の冷媒回路（40）では、四方切換弁（43）が図２の破線の状態となり、膨張弁（42）が所定開度に制御される。第１流路切換部（151）は、吸着側流入路（132）と第１吸着熱交換器（46）の収容室（第１熱交換器室（137））とを連通させ、且つ再生空気流入路（134）と第２吸着熱交換器（47）の収容室（第２熱交換器室（138））とを連通させる。また、第２流路切換部（152）は、第１吸着熱交換器（46）の収容室（第１熱交換器室（137））と吸着側流出路（133）とを連通させ、且つ第２吸着熱交換器（47）の収容室（第２熱交換器室（138））と再生側流出路（131）とを連通させる。
【００７４】
第２動作において、圧縮機（41）で圧縮された冷媒は、四方切換弁（43）を通過して、第２吸着熱交換器（47）を流れる。第２吸着熱交換器（47）では、冷媒によって吸着剤が加熱され、吸着剤中の水分が空気へ放出される。第２吸着熱交換器（47）で放熱して凝縮した冷媒は、膨張弁（42）で減圧された後、第１吸着熱交換器（46）を流れる。第１吸着熱交換器（46）では、空気中の水分が吸着剤に吸着され、この際に生じる吸着熱が冷媒に付与される。第１吸着熱交換器（46）で吸熱して蒸発した冷媒は、圧縮機（41）に吸入されて圧縮される。
【００７５】
図６に示すように、この第２動作中には、第１ダンパ（141）、第４ダンパ（144）、第６ダンパ（146）、及び第７ダンパ（147）だけが開状態となり、残りのダンパ（142,143,145,148）が閉状態となる。
【００７６】
吸着空気吸込口（123）から吸着側流入路（132）へ流入した吸着空気は、第１ダンパ（141）を通って第１熱交換器室（137）へ流入し、その後に第１吸着熱交換器（46）を通過する。第１吸着熱交換器（46）では、吸着空気中の水分が吸着剤に吸着される。第１吸着熱交換器（46）で除湿された吸着空気は、第７ダンパ（147）を通って吸着側流出路（133）へ流入し、吸着側ファン室（136）を通過後に吸着空気吹出口（122）を通ってケーシング（111）から排出される。
【００７７】
一方、再生空気吸込口（124）から再生側流入路（134）へ流入した再生空気は、第４ダンパ（144）を通って第２熱交換器室（138）へ流入し、その後に第２吸着熱交換器（47）を通過する。第２吸着熱交換器（47）では、冷媒で加熱された吸着剤から水分が脱離し、この脱離した水分が再生空気に付与される。第２吸着熱交換器（47）で水分を付与された再生空気は、第６ダンパ（146）を通って再生側流出路（131）へ流入し、再生側ファン室（135）を通過後に再生空気吹出口（121）を通ってケーシング（111）から排出される。
【００７８】
〈除湿システムの動作〉
本実施形態の除湿システム（1）では、システム構成を簡略化して示した図７の動作説明図において、吸着空気である室内空気（RA）が、室内循環回路（12）を循環する際に後段除湿ユニット（30）で除湿され、給気（SA）として室内に供給される動作が繰り返される。なお、この空気は、図１に示す温度調整用空調ユニット（15）で温度も調整される。
【００７９】
中間循環回路では、中間空気が前段除湿ユニット（20）の吸着側の吸着熱交換器（46，47）で除湿されるとともに、後段除湿ユニット（30）の再生側の吸着熱交換器（47，46）を再生する動作が繰り返される。また、その際には、図１に示す顕熱交換器（14）において中間空気の吸着側と再生側で熱回収が行われ、後段除湿ユニット（30）の再生側出口から回収した温熱が後段除湿ユニット（20）の吸着熱交換器（47，46）の再生に利用される。
【００８０】
室外循環回路（11）では、再生空気である室外空気（OA）により前段除湿ユニット（20）の吸着熱交換器（46，47）が再生された後、室外に排出される動作が繰り返される。
【００８１】
このように、本実施形態では、前段除湿ユニット（20）の再生部（再生側の吸着熱交換器）を再生空気（室外空気（OA））で再生しながら、中間循環回路（13）において前段除湿ユニット（20）の吸着部（吸着側の吸着熱交換器）で空気を除湿して乾燥空気を生成し、その乾燥空気により後段除湿ユニット（30）の再生部が再生される。このことにより、再生した後段除湿ユニット（30）の再生側の吸着熱交換器（46，47）の水分量を少なくすることができる。したがって、この吸着熱交換器（46，47）が次に吸着側になって室内空気（RA）が室内循環回路（12）を循環するときに、空気を低露点温度になるまで除湿して室内に供給することができる。
【００８２】
また、複数の後段除湿ユニット（30A，30B）において吸着熱交換器（46，47）を吸着部と再生部に切り換えるタイミングが互いに一致していると、室内の温度変動や湿度変動が同期して大きくなりやすいのに対して、この実施形態では、後段第１除湿ユニット（30A）における吸着／再生の切り換えタイミングと後段第２除湿ユニット（30B）における吸着／再生の切り換えタイミングを、切り換え時間の間隔の半分ずらすようにしているので、室内の温度変動や湿度変動が抑えられる。
【００８３】
−実施形態１の効果−
本実施形態によれば、前段除湿ユニット（20）の再生部（再生側の吸着熱交換器（46，47））を再生空気（室外空気（OA））で再生しながら、中間循環回路（13）において前段除湿ユニット（20）の吸着部（吸着側の再生熱交換器（46，47））で中間空気を除湿して乾燥空気を生成し、その乾燥空気により後段除湿ユニット（30）の再生部を再生することにより、後段除湿ユニット（30）の再生側の吸着熱交換器（46，47）の水分量を下げることができる。そして、この吸着熱交換器（46，47）が吸着側になったときに、その水分量の少ない吸着熱交換器（46，47）を用いて室内空気（RA）を除湿できるから、再生温度を上げなくても室内空気（RA）を低露点温度の空気にすることができる。その際、後段除湿ユニット（30）の再生出口空気も十分に低湿であり、この空気が前段除湿ユニット（20）の吸着側の吸着熱交換器（46，47）との間で中間循環回路（13）を循環する。
【００８４】
また、本実施形態によれば、複数の後段除湿ユニット（30）において吸着熱交換器（46，47）を吸着側と再生側に切り換えるタイミングを互いに相違させているので、室内の温度変動や湿度変動を抑えることができ、室内空気の状態を安定させることができる。
【００８５】
さらに、本実施形態によれば、前段除湿ユニット（20）で処理する空気の露点温度を後段除湿ユニット（30）で処理する空気の露点温度よりも低くできることから、前段除湿ユニット（20）を後段除湿ユニット（30）よりも大風量で運転するようにしている。したがって、前段除湿ユニットの台数を少なくしてシステムのイニシャルコストを下げることが可能になる。
【００８６】
また、本実施形態によれば、中間循環回路（13）において、後段除湿ユニット（30）の再生側出口空気と後段除湿ユニット（30）の再生側出口空気との間で顕熱交換器（14）により熱回収を行うようにしている。具体的には、後段除湿ユニット（30）の再生側出口空気から回収した温熱を後段除湿ユニット（30）の再生に利用できるので、除湿システム（1）の性能向上を図ることができる。
【００８７】
−実施形態１の変形例−
（変形例１）
図８は、実施形態１の変形例１を示している。
【００８８】
この変形例１では、後段除湿ユニット（30）の再生側出口から再生側入口に空気の一部を戻す戻し通路（16）が設けられている。その他の構成は図１〜図６の実施形態１と同じであるため、説明は省略する。
【００８９】
この変形例１では、前段除湿ユニット（20）から後段除湿ユニット（30）に供給される風用が後段除湿ユニット（30）の処理風量よりも少なくなる場合に、上記戻し通路（16）に空気を流すようにする。そうすることにより、前段除湿ユニット（20）と後段除湿ユニット（30）の風量バランスをとることができるので、除湿システム（1）の能力が低下するのを抑えられる。
【００９０】
（変形例２）
実施形態１の変形例２は、図９，図１０に示すように、前段除湿ユニット（20）をバイパスして後段除湿ユニット（30）の再生側入口に室外空気（OA）を導入する室外バイパス通路（17）を設けた例である。図８はシステム構成図、図９はシステムの概略構成図であり、後段除湿ユニット（30）は１台だけを示している。室外バイパス通路（17）を設けた点以外は図１〜図６の実施形態１と同じであるため、説明は省略する。
【００９１】
この変形例２では、例えば外気が低湿度である場合に、室外バイパス通路（17）を用いることにより、前段除湿ユニット（20）を用いずに後段除湿ユニット（30）だけでの運転が行われる。
【００９２】
この変形例２によれば、前段除湿ユニット（20）をバイパスして後段除湿ユニット（30）の再生側入口に室外空気を導入する室外バイパス通路（17）を設けたことにより、例えば外気が低湿度である場合には、前段除湿ユニットを用いずに後段除湿ユニット（30）だけでの運転を行えるから、省エネルギ化を図ることが可能となる。
【００９３】
（変形例３）
変形例３は、変形例２の室外バイパス通路（17）を設けずに、図１〜図６に示した実施形態１の構成において、図１１に示すように前段除湿ユニット（20）の吸着側ファン（126）及び再生側ファン（125）を運転した状態で、ダンパ（141〜144）の開閉状態を制御して空気の流れを切り換えるとともに、冷媒回路（40）の運転を停止するようにした例である。また、後段除湿ユニットは１台だけを示している。その他の構成は、図１〜図６の実施形態１と同じである。
【００９４】
この例では、前段除湿ユニット（20）に流入した室外空気が処理されずに後段除湿ユニット（30）の再生側の吸着熱交換器（46，47）を通過して該吸着熱交換器（46，47）を再生する。この後段除湿ユニットの吸着熱交換器（46，47）を再生した空気は前段除湿ユニットでは処理はされずに通過するだけで、排気として室外へ放出される。
【００９５】
また、室内空気は上記変形例２と同様にして後段除湿ユニット（30）の吸着熱交換器（46，47）で処理され、低露点空気になって室内へ供給される。
【００９６】
このように構成しても、外気が低湿度であるような場合には、前段除湿ユニットを用いずに後段除湿ユニット（30）だけでの運転を行えるから、省エネルギ化を図ることが可能となる。
【００９７】
（変形例４）
実施形態１の変形例４は、前段除湿ユニット（20）と後段除湿ユニット（30）とで、吸着熱交換器（46，47）を吸着側と再生側に切り換える時間間隔を互いに異ならせるようにした例である。装置構成は実施形態１と同じであり、コントローラ（100）の制御内容が異なるだけであるため、システムの図示は省略する。
【００９８】
この変形例４では、前段除湿ユニット（20）と後段除湿ユニット（30）の吸着熱交換器（46，47）を吸着側と再生側に切り換える時間間隔を、再生直後の吸着剤が十分に乾燥している状態となるような再生時間と、吸着中に吸着剤が水分を吸着しすぎて除湿能力が低下しないような吸着時間とから、最適な切り換え時間間隔に設定される。特に、前段除湿ユニット（20）の１台あたりの処理風量が、後段除湿ユニット（30）の１台あたりの処理風量よりも多く設定されている場合には、吸着時間を短くして水分の吸着量を抑える必要があることから、後段除湿ユニット（30）よりも切り換え時間間隔が短く設定される。
【００９９】
この変形例４によれば、前段除湿ユニット（20）と後段除湿ユニット（30）とで、吸着熱交換器（46，47）を吸着側と再生側に切り換える時間間隔が互いに相違するようにしており、特に前段除湿ユニット（20）の切り換え時間間隔を後段除湿ユニット（30）の切り換え時間間隔よりも短くすることにより、各段の除湿ユニット（20，30）において最適な運転を行うことが可能になる。
【０１００】
《発明の実施形態２》
本発明の実施形態２について説明する。
【０１０１】
実施形態２は、図１２に示すように、前段除湿ユニット（20）と高段側除湿ユニット（30）の間に中段除湿ユニット（50）を設けた例である。つまり、実施形態１は前段除湿ユニット（20）と後段除湿ユニット（30）の二段で除湿装置（10）を構成した例であるが、本実施形態は、前段除湿ユニット（20）と高段側除湿ユニット（30）と中段除湿ユニット（50）の三段で除湿装置（10）を構成した例である。
【０１０２】
このように除湿装置（10）を三段で構成すると、前段除湿ユニット（20）と後段除湿ユニット（30）の間で２段の中間循環回路（13a，13b）が形成される。中間循環回路（13a，13b）の段数が増えると、後段除湿ユニット（30）の再生側の吸着熱交換器（46，47）をより低湿度にすることが可能になる。より後段になるほど、再生側の吸着熱交換器（47，46）の再生後の水分量を少なくできるからである。したがって、後段除湿ユニット（30）の吸着熱交換器（46，47）が吸着側になったときに、室内空気（RA）の水分吸着量を、除湿装置（10）が二段の場合よりも増やすことが可能になる。その結果、この実施形態２によれば、室内に供給する空気を、再生温度を上げずにより低露点温度の空気にすることが可能になる。
【０１０３】
その他の構成、作用、効果は実施形態１と同様である。
【０１０４】
《発明の実施形態３》
実施形態３の変形例１は、図１３に示すように、前段除湿ユニット（20）を２台にして並列に接続するとともに、高段側除湿ユニット（30）を３台にして並列に接続した例である。
【０１０５】
この実施形態３においても、実施形態１と同様に、後段除湿ユニット（30）同士で吸着熱交換器（46，47）を吸着側と再生側に切り換えるタイミングを異ならせるようにしている。また、前段除湿ユニット（20）同士でも、吸着熱交換器（46，47）を吸着側と再生側に切り換えるタイミングを異ならせるようにしている。
【０１０６】
このように各段の除湿ユニット（20，30）の台数を増やし、各段の吸着熱交換器（46，47）の切り換えタイミングを異ならせるようにすると、実施形態１と比べて温度変動と湿度変動をさらに低減することが可能になる。したがって、この実施形態３によれば、室内空気の状態をより安定させることができる。
【０１０７】
なお、その他の構成、作用、効果は実施形態１と同様である。
【０１０８】
《その他の実施形態》
上記実施形態については、以下のような構成としてもよい。
【０１０９】
例えば、上記各実施形態や変形例では、前段除湿ユニット（20）と後段除湿ユニット（30）の両方で吸着部材として２つの吸着熱交換器（46，47）を用い、吸着側と再生側を切り換えるようにしている。しかしながら、後段除湿ユニット（30）は、吸着熱交換器（46，47）の代わりに吸着ロータを用いた構成にしてもよい。その場合、吸着ロータが吸着側の空気通路と再生側の空気通路にまたがって配置されるとともに回転可能に構成され、吸着側の空気通路に位置している吸着ロータの吸着部で空気中の水分を吸着する一方、再生側の空気通路に位置している吸着ロータの再生部でロータの水分を空気に放出することになる。
【０１１０】
このようにしても、前段除湿ユニット（20）で除湿した乾燥空気で後段除湿ユニットの吸着ロータを再生できるから、再生後の吸着ロータに含まれる水分量を少なくすることができる。したがって、水分の少ない吸着ロータで室内空気を除湿できるから、再生温度を上げなくても室内に供給する空気を低露点の空気にすることが可能になる。
【０１１１】
また、前段除湿ユニット（20）と後段除湿ユニット（30）の台数や段数は、上記各実施形態で説明した台数や段数から適宜変更することが可能である。
【０１１２】
なお、以上の実施形態は、本質的に好ましい例示であって、本発明、その適用物、あるいはその用途の範囲を制限することを意図するものではない。
【産業上の利用可能性】
【０１１３】
以上説明したように、本発明は、２つの吸着熱交換器を吸着側と再生側に交互に切り換えて用いる除湿ユニットを備えた除湿システムについて有用である。
【符号の説明】
【０１１４】
除湿システム
除湿装置
除湿対象空間
吸着部
再生部
吸着部材
前段除湿ユニット
後段除湿ユニット
吸着熱交換器
吸着部材
室外循環回路
【要約】
【課題】２つの吸着熱交換器（46，47）を吸着側と再生側に交互に切り換えて用いる除湿ユニットを備えた除湿システムにおいて、再生温度を上げずに室内空気の露点温度を下げられる構成を実用化する。
【解決手段】前段除湿ユニット（20）と後段除湿ユニット（30）とを設け、前段除湿ユニット（20）の再生側と室外空間との間で室外空気が循環する室外循環回路（11）と、後段除湿ユニット（30）の吸着側と除湿対象空間（S）との間で室内空気が循環する室内循環回路（12）と、前段除湿ユニット（20）の吸着側と後段除湿ユニット（30）の再生側との間で空気が循環する中間循環回路（13）とを設ける。
【選択図】図１【図１】
0005624185.tif 000002
【図２】
0005624185.tif 000003
【図３】
0005624185.tif 000004
【図４】
0005624185.tif 000005
【図５】
0005624185.tif 000006
【図６】
0005624185.tif 000007
【図７】
0005624185.tif 000008
【図８】
0005624185.tif 000009
【図９】
0005624185.tif 000010
【図１０】
0005624185.tif 000011
【図１１】
0005624185.tif 000012
【図１２】
0005624185.tif 000013
【図１３】
0005624185.tif 000014
【図１４】
0005624185.tif 000015